(57)【要約】      （修正有）【課題】ハードディスクドライブを有するビデオカメラにおいて、画像表示部の回動によって発生する衝撃でハードディスクのプラッタを傷つけることを防止する。【解決手段】装置本体４０１に開閉可能に配置された画像表示部１０３と、信号を記録再生するハードディスクドライブ１０２を備えたビデオカメラにおいて、画像表示部の本体側当接面１０７に対してハードディスクドライブが有するヘッドアーム回転軸２０６が平行になるようにハードディスクドライブを配置する。【選択図】図１
2009140540.tif 000002
【特許請求の範囲】
【請求項１】
装置本体に開閉可能に配置された画像表示部と、信号を記録再生するハードディスクドライブを備えた記録再生装置において、
前記画像表示部の本体側当接面に対して前記ハードディスクドライブが有するヘッドアームの回転軸が平行になるように前記ハードディスクドライブを装置本体に配置したことを特徴とする記録再生装置。
【発明の詳細な説明】
【技術分野】
【０００１】
本発明は主にハードディスクドライブを記録再生に使用する記録再生装置（例えばビデオカメラ）に関するものである。
【背景技術】
【０００２】
これまで、ビデオカメラはテープ、ＤＶＤが主な記録媒体として利用されてきたが、近年、ハードディスクドライブを主な記録媒体として搭載するビデオカメラが普及している。また、近年のビデオカメラはファインダのほかに、使用者が利用しやすいようにファインダよりも大きい画面で構成された回動可能な画像表示部を配置しているもの、もしくは、ファインダを廃し、回動可能な画像表示部のみを配置しているものが大半を占めている。その一例として、図４には従来のハードディスクドライブを有するビデオカメラを示している。
【０００３】
１０１はハードディスクドライブを有するビデオカメラ本体であり、１０２はビデオカメラ１０１の内部に配置されたハードディスクドライブである。１０３はＬＣＤパネルなどによって構成された画像表示部であり、レンズ１０４を介して撮影された映像を表示させる。画像表示部１０３は第１の回動軸１０５、および第２の回動軸１０６を中心として回動可能に取り付けられており、使用者が任意の位置に回動できるようになっている。１０７は第１の回動軸１０５を中心として画像表示部１０３をビデオカメラ本体１０１方向に回動させた時の本体側当接面である。
【０００４】
次にハードディスクドライブ１０２について図２に示す。２０１はハードディスクドライブ１０２の内部に配置されたプラッタで、プラッタ回転軸２０２を回転軸としてスピンドルモータ２０３によって回転駆動される。ハードディスクドライブ１０２には複数のプラッタ２０１が配置されていることもあるが、図２には代表的な例としてプラッタ２０１を１枚のみ示した。２０４はプラッタ２０１の任意の位置に信号を記録再生するための磁気ヘッドで、ヘッドアーム２０５の一端に固定されている。磁気ヘッド２０４はヘッドアーム２０５によってプラッタ２０１の半径方向の任意の位置に位置決めされる。２０６はヘッドアーム２０５が有する回転軸で、ヘッドアーム２０５は回動軸２０６を中心として回動しながら磁気ヘッド２０４を位置決めする。磁気ヘッド２０４はプラッタ２０１の動作により生じる揚力でプラッタ２０１から１０ｎｍ程度の高さで浮上し、記録と再生を行なっている。
【０００５】
上記の例として、下記特許文献１をあげることが出来る。
【特許文献１】特開平１０−２６９７６０号公報
【発明の開示】
【発明が解決しようとする課題】
【０００６】
しかしながら、上記従来のビデオカメラでは、画像表示部１０３を第１の回動軸１０５周りに回動し、本体側当接面１０７に当接したときに大きな衝撃が発生した場合、ヘッドアーム２０５の回転軸２０６を含む面が本体側当接面１０７に対して垂直になるようにハードディスクドライブ１０２が設置されており、ヘッドアーム２０５が本体側当接面１０７に対して垂直な方向に振動する。その振動によって磁気ヘッド２０４がプラッタ２０１に衝突し、プラッタ２０１の表面を傷つけてしまう。プラッタ２０１は傷に対して非常に脆弱であるため、プラッタ２０１の表面に傷がつくことによってハードディスクドライブ１０２が機能不全に陥ってしまう。
【課題を解決するための手段】
【０００７】
本発明は上記問題点を改善するものであり、装置本体に開閉可能に設置された画像表示部と、信号を記録再生するハードディスクドライブを備えた記録再生装置において、前記画像表示部の本体側当接面に対して前記ハードディスクドライブが有するヘッドアームの回転軸が平行になるように前記ハードディスクドライブを配置した。
【発明の効果】
【０００８】
以上説明したように、本発明によれば、装置本体に開閉可能に設置された画像表示部と、信号を記録再生するハードディスクドライブを備えた記録再生装置において、画像表示部の本体側当接面に対してハードディスクドライブが有するヘッドアームの回転軸が平行になるように装置本体にハードディスクドライブを配置することで、画像表示部が画像表示部の本体側当接面に当接するときに生じる衝撃に対して磁気ヘッドがプラッタ面方向に振動し、ハードディスクドライブのプラッタに磁気ヘッドが衝突し、ハードディスクドライブが機能不全となることを防ぐことができる。
【発明を実施するための最良の形態】
【０００９】
次に、本発明の詳細を実施例の記述に従って説明する。
【実施例１】
【００１０】
以下、第１の実施例によるビデオカメラについて説明する。本実施例において、従来のビデオカメラと同一の構成については、同一符号を記して説明を省略する。図１は第１の実施例によるビデオカメラの全体図である。４０１はハードディスクドライブを有するビデオカメラ本体であり、１０２はビデオカメラ４０１の内部に配置されたハードディスクドライブである。
【００１１】
ハードディスクドライブ１０２はビデオカメラ４０１本体に回動可能に固定された第１の回動軸１０５および第２の回動軸１０６を有する画像表示部１０３の本体側当接面１０７に対してハードディスクドライブ１０２が有するヘッドアーム２０５の回転軸２０６が平行になるようにハードディスクドライブ１０２を配置する。
【００１２】
続いて、画像表示部１０３の回動機構について説明する。図３ａは画像表示部１０３の構成図で、図３ｂは画像表示部１０３の回動機構の概略図を示している。回動機構３０１は締結部Ａ３０２と締結部Ｂ３０３との２箇所でビデオカメラ本体４０１に固定されている。３０４は回動機構カバーであり、回動機構を外観的に覆い隠している。回動機構３０１は第１の回転軸１０５を中心として回動する回動部材Ａ３０５および回動部材Ｂ３０６と第２の回転軸を中心として回動する回動部材Ｃ３０７で構成されており、回動軸支持部材Ａ３０８に固定されている。回動部材Ｃ３０７は画像表示パネル３０９に締結されている。このように構成されることで使用者が任意に画像表示部１０３の位置を決めることができる。また、締結部Ａ３０２に固定され、凸部を有する摺動カムＡ３１０と回動部材Ａ３０５の回動に追従し、凸部を有する摺動カムＢ３１１が配置されている。摺動カムＢ３１１は圧縮コイルバネ３１２によって常時摺動カムＡ３１０に押圧されている。摺動カムＡ３１０および摺動カムＢ３１１の凸部は斜面を有する形状になっており、お互いの斜面同士が当接するように配置されている。
【００１３】
画像表示部１０３は第１の回動軸１０５と第２の回動軸１０６の回動範囲で回動できるように構成されている。第１の回動軸１０５の回動範囲は締結部Ａ３０２と同軸に配置された回動規制部材Ａ３１３および締結部Ｂと同軸になるように配置された回動規制部材Ｂ３１４で規制されており、それぞれ締結部Ａおよび締結部Ｂの回動端に当接する範囲で回動範囲が決定する。また、第２の回動軸１０６の回動範囲は回動部材Ｃ３０７と同軸になるように配置された回動支持部材Ｂ３１５および回動規制部材Ｃ３１６で規制されており、回動規制部材Ｃ３１６が回動支持部材Ｂ３１５に当接する範囲で回動範囲が決定する。第２の回動軸１０６での回動時の操作感は回動支持部材Ｂ３１５に固定された板バネ３１７とワッシャ３１８で表現されている。さらに、画像表示部１０３の回動を検出するために回動検出スイッチ３１９が配置されており、回動支持部材Ｂ３１５が回動検出スイッチ３１９を押すことで検出を行っている。
【００１４】
このような回動機構３０１を有する画像表示部１０３を第１の回動軸１０５周りに回動すると、摺動カムＡ３１０および摺動カムＢ３１１の凸部を乗り越え、摺動カムＢ３１１が最初に当接していた斜面と反対側の斜面が当接する時に、圧縮コイルバネ３１２によって生じている押圧力により、画像表示部１０３を回動端の一端もしくは他端のどちらかの端に付勢するような力が発生する。この付勢力は画像表示部１０３がビデオカメラ本体４０１の本体側当接面１０７に当接するとき、もしくは、画像表示部１０３が本体側当接面１０７から離れるような最大回動範囲に到達するときに発生する。
【００１５】
画像表示部の回動はビデオカメラ４０１本体に回動可能に固定された第１の回動軸１０５周りに画像表示装置１０３を回動させ、画像表示部１０３をビデオカメラ４０１本体の当接面１０７に当接するように使用した場合、付勢力が衝撃となって本体側当接面１０７に対して垂直方向に伝達する。このとき、ビデオカメラ本体４０１に伝達した衝撃に対して、ヘッドアーム２０５は回転軸２０６に垂直な面内の力を受けるため、プラッタ回転軸２０２に垂直な面に沿うように力を受ける。よって、ヘッドアーム２０５に設置された磁気ヘッド２０４がプラッタ２０１に衝突することはなくなり、プラッタ２０１を衝撃から保護することができる。
【００１６】
本実施例についてはビデオカメラを用いて説明したが、ハードディスクを備え、回動して開閉可能な画像表示部を有する信号記録装置であれば、本発明と同様の効果を得ることができる。
【図面の簡単な説明】
【００１７】
【図１】第１の実施例におけるビデオカメラ
【図２】ハードディスクドライブ本体
【図３】（ａ）は画像表示部の部品図、（ｂ）は画像表示部の回動機構
【図４】従来のハードディスクドライブを有するビデオカメラ
【符号の説明】
【００１８】
１０１  従来例のビデオカメラ本体
１０２  ハードディスクドライブ
１０３  画像表示部
１０４  レンズ
１０５  第１の回動軸
１０６  第２の回動軸
１０７  画像表示部の当接面
２０１  プラッタ
２０２  プラッタ回転軸
２０３  スピンドルモータ
２０４  磁気ヘッド
２０５  ヘッドアーム
２０６  ヘッドアームが有する回転軸
３０１  画像表示部の回転機構
３０５  回動部材Ａ
３０６  回動部材Ｂ
３０７  回動部材Ｃ
３１０  摺動カムＡ
３１１  摺動カムＢ
３１２  圧縮コイルバネ
４０１  第１の実施例によるビデオカメラ本体
【図１】
2009140540.tif 000003
【図２】
2009140540.tif 000004
【図３】
2009140540.tif 000005
【図４】
2009140540.tif 000006